(57)【要約】【課題】  電源ボックスを筐体内に簡単かつ確実に取り付けことができるようにする。【解決手段】  筐体２内に、遊技機に設けられる電気部品へ電力を供給するための電源装置が内蔵された電源ボックス８を配置した遊技機において、筐体２の底板２４の上面に、電源ボックス８の底面に対応する凹部１０を設け、凹部１０に電源ボックス８の下端部を嵌合させた状態で、電源ボックス８を筐体２内に固定する。【選択図】        図３
2005065987.tif 000002
【特許請求の範囲】
【請求項１】
筐体内に、遊技機に設けられる電気部品へ電力を供給するための電源装置が内蔵された電源ボックスを配置した遊技機において、
前記筐体の底板の上面に、前記電源ボックスの底面に対応する凹部を設け、該凹部に前記電源ボックスの下端部を嵌合させた状態で、前記電源ボックスを前記筐体内に固定したことを特徴とする遊技機。
【請求項２】
電源ボックスの上部に設けた取付片に取付孔を穿設するとともに、ねじを前記取付孔に挿通させて筐体の側板の内側に螺合することにより、前記取付板を前記筐体に固定したことを特徴とする請求項１記載の遊技機。
【請求項３】
電源ボックスの取付片の取付孔を、ねじの頭部より大径の大径孔部と小径の小径孔部とを連設するものとしたことを特徴とする請求項２記載の遊技機。
【発明の詳細な説明】
【技術分野】
【０００１】
本発明は、筐体内に、遊技機に設けられる電気部品へ電力を供給するための電源装置が内蔵された電源ボックスを配置した遊技機に関する。
【背景技術】
【０００２】
スロットマシン等の遊技機において、筐体内には、可変表示装置の回胴体を回転させるモータ、メダル等の遊技媒体を必要に応じて放出するためのホッパーユニットのモータ、遊技を盛り上げるための装飾用ランプ、各種制御を実行可能な制御装置等へ電力を供給する電源装置が内蔵された電源ボックスが配置されている。この電源ボックスは、筐体の下部を構成する底板の上面で、かつ筐体の側板とホッパーユニットとの間の極めて狭いスペースに配置されて、筐体内部の所定箇所にねじ止めされる（例えば、特許文献１参照）。
【特許文献１】特開２００１−１７０２４７号公報
【発明の開示】
【発明が解決しようとする課題】
【０００３】
特許文献１に開示されたような遊技機においては、電源ボックスが上述のような狭いスペースに配置されるため、電源ボックスの位置決め、及び取り付けが面倒である。
【０００４】
本発明は、前記従来の問題に鑑み、電源ボックスを筐体内に簡単かつ確実に取り付けことができるようにした遊技機を提供することを目的とする。
【課題を解決するための手段】
【０００５】
本発明によると、上記課題は、次のようにして解決される。
（１）  筐体内に、遊技機に設けられる電気部品へ電力を供給するための電源装置が内蔵された電源ボックスを配置した遊技機において、前記筐体の底板の上面に、前記電源ボックスの底面に対応する凹部を設け、該凹部に前記電源ボックスの下端部を嵌合させた状態で、前記電源ボックスを前記筐体内に固定する。
【０００６】
（２）  上記（１）項において、電源ボックスの上部に設けた取付片に取付孔を穿設するとともに、ねじを前記取付孔に挿通させて筐体の側板の内側に螺合することにより、前記取付板を前記筐体に固定する。
【０００７】
（３）  上記(２)項において、電源ボックスの取付片の取付孔を、ねじの頭部より大径の大径孔部と小径の小径孔部とを連設するものとする。
【発明の効果】
【０００８】
本発明によれば、次のような効果が奏せられる。
（１） 請求項１記載の発明によると、電源ボックスの下端部を筐体の底板の凹部に嵌合させることにより、電源ボックスを筐体内に簡単かつ確実に固定することができる。
【０００９】
（２） 請求項２記載の発明によると、電源ボックスの上部に設けた取付片を、筐体の側板に固定することにより、電源ボックスを筐体内により確実に固定することができる。
【００１０】
（３）  請求項３記載の発明によると、取付片の取付孔を、ねじの頭部より大径の大径孔部と小径の小径孔部とを連設するものとしたことにより、電源ボックスの取り外し、取り付けを迅速に行なうことができる。
【発明を実施するための最良の形態】
【００１１】
図１は、本発明の一実施形態を適用した遊技機の斜視図で、前面の上下扉を開けた状態を示す。図２は、筐体の斜視図、図３は、筐体要部の斜視図、図４は、図３におけるIV−IV線拡大縦断面図である。
図１に示すように、遊技機(１)における筐体(２)の前面左端部には、上下に分離された上下方向を向く軸回りに回動可能な上扉(３)及び下扉(４)がそれぞれ開閉可能に枢支されている。
【００１２】
筐体(２)の内部には、外周面に複数種類の図柄が付記された円筒状の３個の回胴体(5a)(5b)(5c)により構成される可変表示装置(５)と、遊技媒体であるメダルを貯留及び放出するホッパーユニット(６)と、遊技機(１)の電気部品（例えば、遊技を制御する主基板(７)、回胴体(5a)(5b)(5c)を回動させるモータ、ホッパーユニット(６)のモータ、各種ランプ等）に電力を供給する電源装置が内蔵された電源ボックス(８)が配置される。
【００１３】
下扉(４)の前面には、遊技時にメダルが投入されるメダル投入口(図示略)、メダルをゲームに投資するときに操作されるベッドスイッチボタン(図示略)、可変表示装置(５)における回胴体(5a)(5b)(5c)の回転を開始させるときに操作されるスタートレバー(図示略)、回胴体(5a)(5b)(5c)の回転を停止させるときに操作されるストップスイッチボタン(図示略)等が配置されている。また、上扉(３)の回胴体(5a)(5b)(5c)に対向する部分には、各回胴体(5a)(5b)(5c)の図柄を３コマずつ表示可能な透視窓(3a)が設けられている。
【００１４】
遊技機(１)の遊技は、次のように行われる。メダルをメダル投入口に所定枚数投入して、ベッドスイッチボタンを操作した後、スタートレバーを操作して、回胴体(5a)(5b)(5c)を回転させる。次いで、各回胴体(5a)(5b)(5c)に対応する各ストップスイッチボタンを順次操作して、各回胴体(5a)(5b)(5c)の回転を個別に停止させることにより、入賞有効ライン上に並ぶ各図柄の組み合わせをもって、入賞の有無、及び賞の大小に応じたメダルの配当枚数が決定される。入賞した場合には、予め定めた入賞枚数分だけホッパーユニット(６)からメダルが払い出される。
【００１５】
筐体(２)は、上部を形成する天板(21)と、側部を形成する左側板(22)及び右側板(23)と、下部を形成する底板(24)と、後部を形成する裏板(25)とから形成される。底板(24)の上面には、主に図２に示すように、ホッパーユニット(６)を底板(24)の上面側に固定するための前後方向を向く左右１対のレール(９)(９)と、左側のレール(９)の左方にあって、電源ボックス(８)の底面に対応する凹部(10)とが設けられている。
【００１６】
底板(24)における凹部(10)の前方には、起立片(14)が設けられている。この起立片(14)は、上、下扉(３)(４)が閉じた状態にある場合、下扉(４)と底板(24)との間の隙間を利用して、薄板等の不正手段が筐体(２)内に進入されるのを阻止するものである。
【００１７】
ホッパーユニット(６)は、可変表示装置(５)の下方に配置されるとともに、メダルを貯留するホッパータンク(61)と、モータ駆動によりホッパータンク(61)に貯留されたメダルを下扉(４)の下部に設けられた払出口(4a)に放出するホッパー(62)とを備え、ホッパー(62)の下端部をレール(９)(９)に前方から差し込むことにより、底板(24)の上面のほぼ中央部に固定される。
【００１８】
電源ボックス(８)の左上端部には、左側板(22)の内側に対向する取付片(8a)が設けられている。取付片(8a)のほぼ中央部には、主に図３に示すように、上側の小径孔(11b)と下側の大径孔(11a)とを連設したほぼだるま形状の取付孔(11)が穿設されている。なお、小径孔(11b)の内径は、取付片(8a)を左側板(22)の内側に固定するためのねじ(12)の頭部の外径より小さく、また、大径孔(11b)の内径は、ねじ(12)の頭部より拡径に形成されている。
【００１９】
電源ボックス(８)は、図３及び図４に示すように、下端部を凹部(10)に嵌合させた状態で、取付孔(11)の小径孔(11b)にねじ(12)を挿通し、このねじ(12)を左側板(22)の内側に設けられたねじ孔(13)に螺合して、取付片(8a)を左側板(22)の内側に固定することにより、筐体(２)内におけるホッパーユニット(６)と左側板(22)との間に固定される。
【００２０】
電源ボックス(８)の下端部が凹部(10)に嵌合されることにより、取り付け時には、電源ボックス(８)の位置決めが行われ、また、取り付け後には、底板(24)の上面に沿う方向へのずれが阻止される。よって、電源ボックス(８)を筐体(２)内に簡単かつ確実に固定することができる。
【００２１】
また、電源ボックス(８)の上端部に設けた取付片(8a)を、ねじ(12)により左側板(22)の内側に固定することにより、縦長に設置される電源ボックス(８)の倒れ及び上下動を確実に阻止することができる。
【００２２】
メンテナンス等により電源ボックス(８)を筐体(２)から取り外す場合には、次のように行われる。
取付片(8a)を側板(22)の内側に固定しているねじ(12)を、側板(22)から外すことなくその締結力を少し緩める。この状態で、電源ボックス(８)を若干持ち上げて、取付孔(11)の小径孔部(11b)に嵌合しているねじ(12)を大径孔部(11a)に移動させた状態で、電源ボックス(８)を若干右方へ移動させる。これにより、ねじ(12)の頭部が大径孔部(11a)から抜け出ることにより、電源ボックス(８)を筐体(２)の前面から取り出すことが可能となる。
【００２３】
また、取り外した電源ボックス(８)を筐体(２)に取り付ける場合には、次のように行われる。
電源ボックス(８)の下端が起立片(14)にぶつからない程度に、電源ボックス(８)を若干持ち上げた状態で、筐体(２)の前面からホッパーユニット(６)と左側板(22)との間に入れる。左側板(22)に取り付けられたままにあるねじ(12)を、取付孔(11)の大径孔部(11a)に嵌合させ、この状態で、電源ボックス(８)を底板(24)の上面に置く。これにより、電源ボックス(８)の下端部が凹部(10)に嵌合して位置決めがなされる。これと同時に、大径孔部(11a)に嵌合していたねじ(12)が、小径孔部(11b)に移動する。後は、ねじ(12)を締結するだけで、電源ボックス(８)は筐体(２)内に簡単に固定される。
【図面の簡単な説明】
【００２４】
【図１】本発明の一実施形態を適用した遊技機の斜視図である。
【図２】筐体の斜視図である。
【図３】筐体要部の斜視図である。
【図４】図３におけるIV−IV線拡大縦断面図である。
【符号の説明】
【００２５】
(１)遊技機
(２)筐体
(３)上扉
(3a)透視窓
(４)下扉
(５)可変表示装置
(5a)(5b)(5c)回胴体
(６)ホッパーユニット
(７)主基板
(８)電源ボックス
(8a)取付片
(９)レール
(10)凹部
(11)取付孔
(11a)大径孔部
(11b)小径孔部
(12)ねじ
(13)ねじ孔
(14)起立片
(21)天板
(22)左側板
(23)右側板
(24)底板
(25)裏板
(61)ホッパータンク
(62)ホッパー
【図１】
2005065987.tif 000003
【図２】
2005065987.tif 000004
【図３】
2005065987.tif 000005
【図４】
2005065987.tif 000006